(57)【要約】【課題】再生処理の開始前に、静止画像ファイルのヘッダを解析してデコーダでデコードできるかどうかを判定することにより、ユーザに静止画像ファイルが再生できないことを通知するまでの時間を短縮し、操作性の向上を図ったＤＶＤプレイヤを提供する。【解決手段】ＤＶＤプレイヤ１は、再生が指示された静止画像ファイルの拡張子がＪＰＧであれば、ヘッダを解析して、再生できる形式の静止画像ファイルであるかどうかを判定する。ここで、再生できない形式の静止画像ファイルであると判定すると、その旨を示す映像信号を出力する。これにより、再生が指示された静止画像ファイルが、再生できないファイルであることを、速やかにユーザに通知することができ、ユーザの操作性の向上が図れる。【選択図】図１
2004260384.tif 000002
【特許請求の範囲】
【請求項１】
本体にセットされた光ディスクに記録されている、ＭＰＥＧ形式で圧縮された動画像データを読み取る読取手段と、
上記読取手段が読み取った動画像データをデコードするデコード手段と、
上記デコード手段がデコードした動画像データの再生映像信号を出力する映像信号出力手段と、を備えたＤＶＤプレイヤにおいて、
静止画像ファイルの再生が指示されたときに、指示された静止画像ファイルの拡張子がＪＰＧであれば、この静止画像ファイルのヘッダを解析し、本体でデコード可能な静止画像ファイルであるかどうかを判定する判定手段と、
上記判定手段により本体でデコードできない静止画像ファイルであると判定した場合に、上記読取手段による静止画像ファイルの読み取りを停止する読取停止手段と、を備え、
さらに、上記映像信号出力手段は、上記判定手段が本体でデコードできない静止画像ファイルであると判定した場合に、予め定められた映像信号を出力するＤＶＤプレイヤ。
【請求項２】
本体にセットされた光ディスクに記録されている画像データを読み取る読取手段と、
上記読取手段が読み取った画像データをデコードするデコード手段と、
上記デコード手段がデコードした画像データの再生映像信号を出力する映像信号出力手段と、を備えた光ディスク再生装置において、
静止画像ファイルの再生が指示されたときに、指示された静止画像ファイルの拡張子が所定の拡張子であれば、この静止画像ファイルのヘッダを解析し、本体でデコード可能な静止画像ファイルであるかどうかを判定する判定手段と、
上記判定手段により本体でデコードできない静止画像ファイルであると判定された場合に、上記読取手段による静止画像ファイルの読み取りを停止する読取停止手段と、を備えた光ディスク装置。
【請求項３】
上記映像信号出力手段は、上記判定手段が本体でデコードできない静止画像ファイルであると判定した場合に、予め定められた映像信号を出力する請求項２に記載の光ディスク装置。
【請求項４】
上記所定の拡張子は、ＪＰＧである請求項２または３に記載の光ディスク装置。
【請求項５】
上記デコード手段には、ＭＰＥＧ２で圧縮された動画像データをデコードする機能を有する請求項２〜４のいずれかに記載の光ディスク装置。
【発明の詳細な説明】
【０００１】
【発明の属する技術分野】
この発明は、光ディスクから読み取った静止画像ファイルに基く再生映像信号を出力する光ディスク装置に関し、特に動画像データ、および静止画像ファイルの再生機能を有するＤＶＤ装置に関する。
【０００２】
【従来の技術】
従来、ＤＶＤに記録されている動画像データを読み取り、この動画像データに基く映像信号（動画）を出力するＤＶＤプレイヤが一般に広く普及している。ＤＶＤプレイヤから出力される再生映像信号は、表示画面を有する表示機、例えばテレビ受像機、に入力され、この表示機において表示される。ＤＶＤには、ＭＰＥＧ２で圧縮された動画像データ、および音声データが記録されている。ＤＶＤプレイヤには、ＭＰＥＧ２のデコーダが設けられている。
【０００３】
また、ディジタルカメラで撮影した撮影画像（静止画像）をＣＤに記録して保存するユーザが多く、ＤＶＤプレイヤに接続した表示機でＣＤに記録している撮影画像を再生したいという要望があった。この要望に対して、ＤＶＤプレイヤに静止画像ファイルを再生する機能を設けることが提案されている。ところで、静止画像ファイルのファイル形式は、ＪＰＥＧ、ＧＩＦ、ＰＩＣＴ等、色々あり、ファイル形式毎にデコーダが異なるので、全てのファイル形式の静止画像ファイルに対応させることは本体コストの面から現実的ではない。
【０００４】
そこで、一般的なディジタルカメラでは、撮像した撮像画像がＪＰＥＧ形式のファイルであることから、従来のＤＶＤプレイヤは、本体のコストアップを抑え、且つユーザの要望にこたえるために、ＪＰＥＧ形式の静止画像ファイルを再生する機能（デコーダ）を設け、ＪＰＥＧ形式の静止画像ファイルを再生できるように構成している（その他のファイル形式の静止画像については再生できない。）。
【０００５】
このＪＰＥＧ形式の静止画像ファイルを再生する機能を有するＤＶＤプレイヤは、一般にＪＰＥＧ再生機能付きＤＶＤプレイヤと呼ばれており、静止画像ファイルの再生が指示された場合、その静止画像ファイルのファイル形式がＪＰＥＧ形式であるかどうかを判定し（ファイルの拡張子がＪＰＧであるかどうかを判定し）、ＪＰＥＧ形式であれば指定された静止画像ファイルの再生処理を開始し、反対にＪＰＥＧ形式でなければエラー処理を行って、静止画像ファイルが再生できないことをユーザに通知している。
【０００６】
なお、情報再生装置に、複数のデコード部を用意しなくても、複数のコードパターンに対応できるようにするために、記録媒体にデコード処理に使用するプログラム（デコード処理プログラム）を記録しておき、再生時に記録媒体から読み取ったデコード処理プログラムで記録媒体から読み取ったデータをデコードすることが特許文献１で提案されている。しかし、この提案は、記録媒体にデコード処理に使用するプログラム（デコード処理プログラム）を記録していることが前提であることから、ユーザがＣＤに静止画像ファイルを書き込むときに、この静止画像ファイルとともに対応するデコード処理プログラムを書き込まなければならなず、ＣＤに静止画像ファイルを書き込む操作が煩雑になるとともに、処理に要する時間が長くなり、結果的に操作性を低下させてしまう。
【０００７】
【特許文献１】
特開２００２−１４０１９６号公報
【０００８】
【発明が解決しようとする課題】
しかしながら、ＪＰＥＧ形式には、ベースラインＪＰＥＧ、プログレシッブＪＰＥＧ、ロスレスＪＰＥＧといった形式がある。プログレシッブＪＰＥＧは、イメージを段階的に表示するＪＰＥＧである。一方、ＪＰＥＧ再生機能付きＤＶＤプレイヤは、上述したように本体のコストアップを抑え、且つＣＤに記録されているディジタルカメラの撮影画像を再生し、ＤＶＤプレイヤに接続した表示機で見れるようにするという目的から、上記プログレシッブＪＰＥＧに対応していないデコーダを備えている。
【０００９】
このため、プログレシッブＪＰＥＧ形式の静止画像ファイルの再生が指示されると、ファイル拡張子がＪＰＧであるため、ＤＶＤプレイヤは再生処理を開始し、デコーダにおいてデコードできないことが検出された時点で、エラー処理を行うことになる。このため、ユーザに再生が指示された静止画像ファイルが再生できないことを通知するまでに要する時間が長く、ユーザの操作性を低下させるという問題があった。
【００１０】
この発明の目的は、再生処理の開始前に、静止画像ファイルのヘッダを解析してデコーダでデコードできるかどうかを判定することにより、ユーザに静止画像ファイルが再生できないことを通知するまでの時間を短縮し、操作性の向上を図った光ディスク再生装置、およびＤＶＤプレイヤを提供することにある。
【００１１】
【課題を解決するための手段】
この発明の光ディスク装置は、上記課題を解決するために以下の構成を備えている。
【００１２】
本体にセットされた光ディスクに記録されている画像データを読み取る読取手段と、
上記読取手段が読み取った画像データをデコードするデコード手段と、
上記デコード手段がデコードした画像データの再生映像信号を出力する映像信号出力手段と、を備えた光ディスク再生装置において、
静止画像ファイルの再生が指示されたときに、指示された静止画像ファイルの拡張子が所定の拡張子であれば、この静止画像ファイルのヘッダを解析し、本体でデコード可能な静止画像ファイルであるかどうかを判定する判定手段と、
上記判定手段により本体でデコードできない静止画像ファイルであると判定された場合に、上記読取手段による静止画像ファイルの読み取りを停止する読取停止手段と、を備えている。
【００１３】
この構成では、再生が指示された静止画像ファイルの拡張子が所定の拡張子、例えばＪＰＧ、であった場合、判定手段がこの静止画像ファイルのヘッダを解析し、デコード可能な静止画像ファイルであるかどうかを判定する。この判定において、デコードできない静止画像ファイルであると判定されると、読取手段における静止画像ファイルの読み取りを停止し、再生が指示された静止画像ファイルのデコードを開始しない。したがって、ユーザに指定された静止画像ファイルが再生できないものであれば、そのことを速やかにユーザに認識させることができ、操作性の向上が図れる。
【００１４】
また、判定手段がデコードできない静止画像ファイルであると判定したときに、予め定められた映像信号、例えば再生できない静止画像であることをユーザに通知する映像信号、を出力することにより、再生を指示した静止画像ファイルが再生できないことをユーザに確実に認識させることができる。
【００１５】
また、ＭＰＥＧ２で圧縮された動画像データを再生する機能を有するＤＶＤプレイヤに、上記機能を設けることにより、ＣＤに記録されているディジタルカメラの撮影画像を、ＤＶＤプレイヤで再生し、このＤＶＤプレイヤに接続した表示機で見ることができる。
【００１６】
【発明の実施の形態】
以下、この発明の実施形態であるＤＶＤプレイヤについて説明する。
【００１７】
図１は、この発明の実施形態であるＤＶＤプレイヤの機能構成を示すブロック図である。この実施形態のＤＶＤプレイヤ１は、本体にセットされた光ディスク（ＣＤ、またはＤＶＤ）に記録されている画像データを読み取る読取部３と、読取部３が読み取った画像データの入力先を切り換える切換部４と、再生が指示された動画像データをデコードする第１のデコード部５と、再生が指示された静止画像ファイルのヘッダを解析するヘッダ解析部６と、入力された静止画像ファイルをデコードする第２のデコード部７と、入力された画像データ（静止画像、または動画像）を処理した再生映像信号を出力する再生部８とを備えている。また、図１に示す２は本体の動作を制御する制御部である。
【００１８】
読取部３には、本体にセットされた光ディスクに記録されている画像データを読み取るピックアップヘッドが設けられている。切換部４は本体にセットされているＤＶＤの再生が指示されたときに、読取部３がこのＤＶＤから読み取った画像データ（音声データを含む）を第１のデコード部５に入力し、本体にセットされているＣＤに記録されている静止画像ファイルの再生が指示されたときに、読取部３がこのＣＤから読み取った画像データをヘッダ解析部６を介して第２のデコード部７に入力する。
【００１９】
第１のデコード部５は、ＭＰＥＧ２で圧縮された動画像データ（音声データを含む）をデコードするデコーダであり、第２のデコード部７はＪＰＥＧで圧縮された静止画像ファイルをデコードするデコーダである。この第２のデコード部７は、ベースラインＪＰＥＧ形式、またはロスレスＪＰＥＧ形式で圧縮された静止画像ファイルについてはデコードできるが、プログレシッブＪＰＥＧ形式で圧縮された静止画像ファイルについてはデコードできない。
【００２０】
ヘッダ解析部６は、本体にセットされている光ディスク（ＣＤ）に記録されている静止画像ファイル（再生が指示された静止画像ファイル）のヘッダを解析し、この静止画像ファイルがプログレッシブＪＰＥＧ形式のファイルであるかどうかを判定する。プログレシッブＪＰＥＧ形式の静止画像ファイルは、ヘッダに含まれているマーカに［ＦＦＣ２］が存在する。ヘッダ解析部６は、再生が指示された静止画像ファイルについて、そのヘッダに［ＦＦＣ２］というマーカがあるかどうかを検出する。
【００２１】
再生部８は、第１のデコード部５、または第２のデコード部７でデコードされた画像データに基く再生映像信号を生成し、これを出力する。再生部８には、テレビ受像機等、表示機を有する装置が接続され、出力された再生映像信号に基く映像がこの表示機において表示される。
【００２２】
なお、再生部８は、再生映像信号だけでなく、再生音声信号を出力する機能も有している。
【００２３】
次に、この実施形態にかかるＤＶＤプレイヤ１の動作について説明する。図２は、この実施形態にかかるＤＶＤプレイヤの動作を示すフローチャートである。
【００２４】
この実施形態のＤＶＤプレイヤ１は、本体に光ディスクがセットされると（ｓ１）、この光ディスクがＭＰＥＧ形式で圧縮された動画像データを記録した光ディスク（多くの場合、ＤＶＤ）であるか、静止画像ファイルを記録した光ディスク（多くの場合、ＣＤ）であるかを判定する（ｓ２）。ＤＶＤプレイヤ１は、本体にセットされている光ディスクがＭＰＥＧ形式で圧縮された動画像データを記録したものであると判定すると、読取部３において本体にセットされている光ディスクから読み取った動画像データが第１のデコード部５に入力されるように切換部４を制御する（ｓ３）。これにより、読取部３が本体にセットされている光ディスクから読み取った動画像データは、第１のデコード部５に入力される。ＤＶＤプレイヤ１は、第１のデコード部７において入力された動画像データ（ＭＰＥＧ２で圧縮された動画像データ）をデコードし、再生部８がデコードされた動画像データに基く再生映像信号を生成し、出力する、再生を開始する（ｓ４）。このとき、再生部８は再生映像信号だけでなく、再生音声信号も出力する。
【００２５】
なお、ｓ４で開始された再生動作は、本体に対して再生停止等の操作が行われたときに終了する。
【００２６】
一方、ＤＶＤプレイヤ１は、ｓ２で静止画像ファイルを記録した光ディスク（多くの場合、ＣＤ）であると判定すると、読取部３において本体にセットされている光ディスクから読み取った静止画像データがヘッダ解析部６を介して第２のデコード部７に入力されるように切換部４を制御する（ｓ５）。
【００２７】
その後、ＤＶＤプレイヤ１は、本体にセットされている光ディスクに記録されている静止画像ファイルの再生が指示されるのを待って（ｓ６）、再生が指示された静止画像ファイルの拡張子がＪＰＧであるかどうか（ＪＰＥＧ形式のファイルであるかどうか）を判定する（ｓ７）。ＤＶＤプレイヤ１は、ｓ７でＪＰＧでないと判定すると、第２のデコード部７でデコードできない静止画像ファイルであると判断し、再生部８から予め定めれている映像信号を出力する（ｓ８）。ｓ８で出力される映像信号は、ユーザに再生できない静止画像ファイルの再生指示であったことを通知し、このことを認識させる映像の映像信号であり、例えば再生部８に接続された表示機において図３に示す映像を表示させる映像信号である。
【００２８】
また、ＤＶＤプレイヤ１は、ｓ７で再生が指示された静止画像ファイルの拡張子がＪＰＧであると判定すると、読取部３において再生が指示された静止画像ファイルのヘッダの読取を開始する（ｓ９）。ヘッダ解析部６は、入力されるヘッダについて、イメージ開始を示すマーカ［ＦＦＤ８］からスキャン開始を示すマーカ［ＦＦＤＡ］までの間に、プログレッシブＪＰＥＧ形式のファイルであることを示すマーカ［ＦＦＣ２］があるかどうかを判定する（ｓ１０〜ｓ１３）。
【００２９】
ＤＶＤプレイヤ１は、上記ｓ１０〜ｓ１３の処理を実行している間、読取部３が光ディスクから読み取ったデータ（ヘッダ）を第２のデコード部７に入力しておらず、この間第２のデコード部７は停止している。ＤＶＤプレイヤ１は、上記ｓ１０〜ｓ１３の処理において、プログレッシブＪＰＥＧ形式であることを示すマーカ［ＦＦＣ２］がみつかると、読取部３における光ディスクからの静止画像ファイルの読取を停止し、再生部８から予め定めれている映像信号を出力する（ｓ８）。
【００３０】
反対に、ＤＶＤプレイヤ１は、上記ｓ１０〜ｓ１３の処理において、プログレッシブＪＰＥＧ形式であることを示すマーカ［ＦＦＣ２］がみつからないと、再生指示された静止画像ファイルが、再生可能であると判断し、読取部３において光ディスクから読み取った静止画像ファイルを、ヘッダ解析部６を介して第２のデコード部７に入力し、第２のデコード部７でデコードする。そして、再生部８が第２のデコード部でデコードされた静止画像ファイルに基く再生映像信号を生成し、出力する再生を開始する（ｓ１４）。
【００３１】
このように、この実施形態のＤＶＤプレイヤ１は、所謂ＪＰＥＧ再生機能付きＤＶＤプレイヤであり、本体にセットされた光ディスク（ＤＶＤ）に記録されているＭＰＥＧ２で圧縮された動画像データの再生が行えるとともに、ＪＰＥＧ形式で圧縮された静止画像ファイル、例えばディジタルカメラで撮像した撮像画像、の再生が行える。また、ＪＰＥＧ形式以外の静止画像ファイルについては、その拡張子の違いから再生できないことを判断してユーザに通知する。さらに、ＪＰＥＧ形式の静止画像ファイルであっても、再生できない（第２のデコード部７でデコードできない）静止画像ファイル、すなわちプログレッシブＪＰＥＧ形式の静止画像ファイル、については、第２のデコード部７でデコードする前にヘッダ解析部６におけるヘッダ解析により判断し、再生できないことをユーザに通知する。このように、この実施形態のＤＶＤプレイヤ１は、本体で再生できない静止画像ファイルの再生が指示されたときに、その静止画像ファイルにかかる静止画像データをデコードすることなく、再生が指示された静止画像ファイルが本体で再生できないことを通知するので、このことをユーザに速やかに認識させることができ（ユーザに静止画像ファイルが再生できないことを通知するまでの時間を短縮でき）、ユーザの操作性の向上が図れる。
【００３２】
また、ＤＶＤプレイヤ１で再生できない静止画像ファイルの再生が指示されたときには、その旨を示す映像信号を出力するようにしているので、このことをユーザに確実に認識させることができる。
【００３３】
また、上記実施形態では、選択された静止画像ファイルの拡張子がＪＰＧであれば、ＪＰＥＧ形式の静止画像ファイルであると判断するとしたが、最近ファイル拡張子がＪＰＧであっても、その実体がＧＩＦ形式である静止画像ファイルが流通している。このように、ファイル拡張子がＪＰＧであっても、実体がＪＰＥＧ形式でないファイルが存在している。
【００３４】
このような現状を考慮すると、上記実施形態で説明したｓ１３の次に、以下に示すステップ（ｓ２０）を加えて、ファイル拡張子がＪＰＧであるが、その実体がＧＩＦ形式等、ＪＰＥＧ形式でない静止画像ファイルであるかどうかを判定するようにしてもよい。
【００３５】
具体的には、プログレッシブＪＰＥＧ形式であることを示すマーカ［ＦＦＣ２］がみつからず、スキャン開始を示すマーカ［ＦＦＤＡ］がみつかると、ｓ２０で上記ヘッダ解析において［ＪＦＩＦ］または［ＥＸＩＦ］のコードが含まれていたかどうかを判定する。ＪＦＩＦ］または［ＥＸＩＦ］のコードは、ＪＰＥＧ形式のファイルであることを示すコードであり、ＪＰＥＧ形式のファイルのヘッダには［ＪＦＩＦ］または［ＥＸＩＦ］のコードが必ず含まれている。
【００３６】
ｓ２０で、［ＪＦＩＦ］または［ＥＸＩＦ］が含まれていなかった場合、指定された静止画像ファイルは、その実体がＪＰＥＧ形式でないファイルであり、本体で再生できない静止画像ファイルである。この場合、ｓ８の処理を行えばよい。
【００３７】
これにより、ファイル拡張子がＪＰＧであるが、その実体がＪＰＥＧ形式でない静止画像ファイルを、第２のデコード部７においてデコードする前に再生できない静止画像ファイルであると判断することができる。したがって、より確実にＤＶＤプレイヤ１で再生できない静止画像ファイルの再生が指示されたことを、ユーザに速やかに通知することができ（ユーザに静止画像ファイルが再生できないことを通知するまでの時間を短縮でき）、ユーザの操作性の一層の向上が図れる。
【００３８】
なお、上記実施形態では、本願発明をＪＰＥＧ再生機能付きＤＶＤプレイヤを例にして説明したが、動画像データを再生する機能を有しない光ディスク装置にも適用できる。
【００３９】
【発明の効果】
以上のように、この発明によれば、再生が指示された静止画像ファイルが、再生できないファイルであったときに、そのことを速やかにユーザに通知することができるので、ユーザの操作性の向上が図れる。
【００４０】
また、再生が指示された静止画像ファイルが、再生できない静止画像ファイルであったときに、その旨を示す映像信号を出力するようにしているので、再生できない静止画像ファイルの再生が指示されたことを、ユーザに確実に認識させることができる。
【図面の簡単な説明】
【図１】この発明の実施形態であるＤＶＤプレイヤの機能構成を示すブロック図である。
【図２】この実施形態にかかるＤＶＤプレイヤの動作を示すフローチャートである。
【図３】再生できない静止画像ファイルの再生が指示されたときに、本体に接続された表示機における表示映像の例を示す図である。
【図４】別の実施形態にかかるＤＶＤプレイヤの動作を示すフローチャートである。
【符号の説明】
１−ＤＶＤプレイヤ
２−制御部
３−読取部
４−切換部
５−第１のデコード部
６−ヘッダ解析部
７−第２のデコード部
８−再生部
【図１】
2004260384.tif 000003
【図２】
2004260384.tif 000004
【図３】
2004260384.tif 000005
【図４】
2004260384.tif 000006